(57)【特許請求の範囲】
【請求項１】
木刀本体と、この木刀本体のうち前方の上側を、長手方向に沿った分割面で分割した分割部分と、この分割部分の後端を前記木刀本体に対して回動可能に連結する連結部と、前記回動の範囲を一定範囲に制限するために、前記分割部分の前端側を前記木刀本体に対して回動の方向に一定範囲で移動可能にガイドするガイド部と、前記分割部分と前記木刀本体とを所定の吸着力で吸着するマグネットと、を有し、前記ガイド部は、前記分割部分の前端側が接する部位において、前記木刀本体に、前記回動方向に立設されたボルトと、このボルトのヘッドを閉じ込めるために前記分割部分の前端側に、前記回動方向の外側から開けられた穴部と、この穴部の底部に開けられ前記ボルトの軸部を挿通させる挿通孔と、を有することを特徴とする振ると音の出る木刀。
【発明の詳細な説明】
【技術分野】
【０００１】
この発明は、素振り稽古などで振ると音の出る木刀の構造に関する。
【背景技術】
【０００２】
木刀を用いた素振り稽古で、素振りの速さや刃筋の正しさなどを自己認識できるように、素振りで音の出る木刀が既にいくつか提案されている。
すなわち、下記の特許文献１には、木刀の切先付近に数個の穴をあけ空洞部分を設けることで、高い風切り音を出すようにしたものが記載される。
また、特許文献２には、木刀の側面に樋掘りを付することで、気流の乱れによる音を出すようにしたものが記載される。
また、特許文献３には、竹刀の内部に電気的な装置を入れることで、刀身部を小さく振るか、大きく振るかで、異なる音を出すようにしたものが記載される。
【特許文献１】実用新案登録3119297
【特許文献２】特開2003-102890
【特許文献３】実用新案登録3030270
【発明の開示】
【発明が解決しようとする課題】
【０００３】
しかしながら、前記特許文献１、２によれば、木刀を振るときの風切り音を大きくしたものであり、それほど大きな音にすることはできない。
また、特許文献３によれば、電気的な装置によって風切り音よりも大きな音を出すことはできるものの、本来、木刀や竹刀は、ぶつけたり落としたりするものであり、内部の電気的な装置が壊れ易いことは否めない。また、電気的装置を内部に空洞部分を有する竹刀に設けることは可能であっても、木刀の内部に設けることは困難であり、無理に内部に空洞を作って設けると、木刀の強度を著しく落とすことが考えられる。
【０００４】
この発明は、以上の問題点を解決するために、大きな音を出すことができ、装置が壊れにくく、木刀の強度をあまり落とさない、振ると音の出る木刀を提供することを目的とする。
【課題を解決するための手段】
【０００５】
以上の課題を解決するために、第一発明は、木刀本体と、この木刀本体のうち前方の上側を、長手方向に沿った分割面で分割した分割部分と、この分割部分の後端を前記木刀本体に対して回動可能に連結する連結部と、前記回動の範囲を一定範囲に制限するために、前記分割部分の前端側を前記木刀本体に対して回動の方向に一定範囲で移動可能にガイドするガイド部と、前記分割部分と前記木刀本体とを所定の吸着力で吸着するマグネットと、を有し、前記ガイド部は、前記分割部分の前端側が接する部位において、前記木刀本体に、前記回動方向に立設されたボルトと、このボルトのヘッドを閉じ込めるために前記分割部分の前端側に、前記回動方向の外側から開けられた穴部と、この穴部の底部に開けられ前記ボルトの軸部を挿通させる挿通孔と、を有することを特徴とする振ると音の出る木刀である。
【発明の効果】
【０００７】
第一発明によれば、木刀を振り上げると、木刀本体と分割部分とは共に振り上げられ、振り上げがとまり、連続して振り下ろされる。この振り下ろしの際の加速度が大きいので、分割部分は慣性により木刀本体についていけず、マグネットの吸着に打ち勝って木刀本体から離れる。すなわち、分割部分は上方へ、連結部周りに回動し、ガイド部が可能とする範囲で、いわば開いた状態になる。振り下ろしがとまると、分割部分は慣性により下方へ回動し、既にとまっている木刀本体にぶつかり、パーンとカスタネットのように大きな音をたてる。そして、分割部分はそのままマグネットにより木刀本体に吸着する。  
このため、大きな音を出すことができる。また、電気的装置のようには壊れにくい。さらに、木刀本体を長手方向に沿った分割面で分割するものの、内部に空洞を設ける場合に比して、木刀の強度をあまり落とさない。
さらに、ガイド部は、ボルトと、穴部と、挿通孔と、からなり、構成がシンプルであるので、壊れにくく、全体の製造コストを抑えられる。
また、木刀は、断面が縦長であり、この縦長の方向に向かって素振りをすること、すなわち刃筋の正しい素振りをすることが大切であるが、この発明の木刀によって、できるだけ大きな音を出すような素振りをすることで、ボルトの軸部に沿った、刃筋の正しく手の内の効いた打ちを身に付ける訓練が出来る。
【発明を実施するための最良の形態】
【０００９】
この発明の実施形態を、図１から図３に示す。
この実施形態に係る木刀１は、短い小刀タイプの木刀である。
この木刀本体３は全長が５７ｃｍであり、後半の２５ｃｍの部分は握り部分４で、前半の３２ｃｍの部分は刃の部分６である。
そして、木刀本体３のうち前方、すなわち刃の部分６の３２ｃｍにおいて、上側を、木刀１の曲線に沿い、長手方向に沿った分割面５で分割し分割部分７とする。この分割面５は、分割部分７の後端をも含めると、実際にはＬ字状となる。また、分割部分７の後端を、木刀本体３に対して回動可能に連結部９により連結する。連結部９には、蝶番式の自在金物を用いる。
【００１０】
さらに、分割部分７の回動の範囲を一定範囲に制限するために、ガイド部１１を設ける。このガイド部１１は、分割部分７の前端側を木刀本体３に対して、回動の方向に一定範囲で移動可能にガイドする。
すなわち、ガイド部１１では、分割部分７の前端側が接する部位において、木刀本体３に、ボルト１３を立設する。立設の方向は、回動方向である。このボルト１３の上端に位置するヘッド１５を閉じ込めるために、分割部分７の前端側に、穴部１７を開ける。この穴部１７は、回動方向の外側から分割部分７に開けられ、内径は、ボルトヘッド１５よりやや大きく、ボルトヘッド１５の内部での移動を可能にする。この穴部１７の底部１８には挿通孔１９が開けられる。この挿通孔１９の内径は、ボルト１３の軸部２１よりやや大きく、この軸部２１を挿通させうる。また、ボルトヘッド１５を閉じ込めた後に、穴部１７の上方の開口は、クッション材を兼ねる木栓２３で閉じられる。また、ボルトヘッド１５の下側には、クッション材２５が設けられ、ボルトヘッド１５が穴部１７の底部１８を破損するのを防ぐ。
【００１１】
また、木刀本体３の前方の分割面５には、跳ね返り防止のために、一対のマグネット２７が設けられる。すなわち、分割部分７と木刀本体３とに、極の異なる面が対峙するマグネット２７のシートが取り付けられる。
【００１２】
「実施形態の作用・効果」
木刀１を振り上げると、木刀本体３と分割部分７とは共に振り上げられ、振り上げがとまり、連続して振り下ろされる。この振り下ろしの際の木刀本体３の加速度が大きく、分割部分７は連結部９を介して引っ張られるだけなので加速度を与えられにくく、よって、分割部分７は慣性により木刀本体３についていけず、マグネット２７の吸着に打ち勝って木刀本体３から離れる。すなわち、分割部分７は相対的に上方へ、連結部９周りに回動し、ガイド部１１が可能とする範囲で、いわば開いた状態になる。振り下ろしがとまると、分割部分７は慣性により下方へ回動し、既にとまっている木刀本体３にぶつかる。木刀本体３と分割部分７とは共に木製であるので、パーンとカスタネットのように大きな音をたてる。そして、分割部分７はそのままマグネット２７により木刀本体３に吸着する。このときクッション材２５の働きにより、分割部分７が木刀本体３から跳ね返り、離れてしまうことを、より防止できる。
【００１３】
このようにして、拍子木のような大きな音を出すことができる。よって、素振りにおいて打撃と同様な体感ができる。さらには、カスタネットあるいは拍子木のようなできるだけ大きな音を出すような素振りをすることで、スナップの効いた絞まりのある打ちを身に付ける訓練が出来る。
【００１４】
また、竹刀の円筒形状の断面と異なり、木刀１は、断面が縦長である。そして、この縦長の方向に向かって素振りをすること、すなわち刃筋の正しい素振りをすることが大切であるが、できるだけ大きな音を出すような素振りをすることで、刃筋の正しく手の内の効いた打ちを身に付ける訓練が出来る。すなわち図３に示すように、木刀１の断面の縦長の方向Ｄに、素振りをすることが大切である。
【００１５】
また、剣道では、右手に力が入ってはいけないと言われる。この実施形態の木刀１は左の握りをしっかりして右手の力を抜いて振るとパンと1回音が出る。しかし右手に力が入っていると、跳ね返りがあり2回音が出てしまう。このため、左手中心の振りを体得できる。
【００１６】
また、切り返し、２段３段の技にも連続して音が出る。
さらに、マグネット２７の長さを短くすると弱い振りでも音が出るが、長くすると強い振りをしないと音が出ない。よって、マグネット２７の長さを変えることにより子供から大人（高段者）まで振りの強弱を調節できる。
【００１７】
また、電気的装置は用いないですむので、壊れにくい。
さらに、木刀本体３を長手方向に沿った分割面５で分割するものの、内部に電気的装置を設けるための大きな空洞を設ける必要がなく、木刀１の強度をあまり落とさない。
さらに、ガイド部１１は、ボルト１３と、穴部１７と、挿通孔１９と、からなり、シンプルであるので、壊れにくく、全体の製造コストを抑えられる。ガイド部１１は分割部分７の前端側に設けられるので、分割部分７の中央側あるいは基端側に設けられる場合に比べ、大きな力は加わりにくく、壊れにくい。
【００１８】
「他の実施形態」
以上の実施形態では、短い小刀タイプの木刀１に本発明を実施したが、他の実施形態では、例えば図４に示すように、長い大刀タイプの木刀１に本発明を実施しても良い。この図４において、図１と同様の部分に関しては同様の符号を付す。
【図面の簡単な説明】
【００１９】
【図１】この発明の一実施形態を示すもので、（Ａ）は全体側面図、（Ｂ）は（Ａ）のＢ−Ｂ断面図、（Ｃ）は（Ａ）のＣ−Ｃ断面図である。
【図２】図１の要部を示すもので、（Ａ）は図１の要部を拡大する拡大図、（Ｂ）は（Ａ）のＢ−Ｂ断面図、（Ｃ）は（Ａ）の閉じた状態を示す外観図、（Ｄ）は（Ａ）の開いた状態を示す外観図である。
【図３】図１（Ｂ）の作用を示すもので、正しい刃筋の素振り方向を示す図である。
【図４】この発明の他の実施形態を示すもので、（Ａ）は全体側面図、（Ｂ）は（Ａ）のＢ−Ｂ断面図、（Ｃ）は（Ａ）のＣ−Ｃ断面図である。
【符号の説明】
【００２０】
１…木刀、３…木刀本体、５…分割面、７…分割部分、９…連結部、１１…ガイド部、１３…ボルト、１５…ヘッド、１７…穴部、１９…挿通孔、２１…軸部、２３…木栓、２５…クッション材、２７…マグネット。
【要約】
【課題】大きな音を出すことができ、装置が壊れにくく、木刀の強度をあまり落とさない、振ると音の出る木刀を提供する。
【解決手段】木刀本体３のうち前方の上側を、長手方向に沿った分割面５で分割する。この分割部分７の後端を木刀本体３に対して連結部９により回動可能に連結する。この回動の範囲を一定範囲に制限するガイド部１１を設ける。また、分割部分７と木刀本体３とはマグネット２７により吸着する。よって、木刀１を振り上げ、振り上げがとまると、分割部分７は慣性によりマグネット２７の吸着に打ち勝って上方へ回動し、いわば開いた状態になる。続けて木刀１を振り下ろし、振り下ろしがとまると、分割部分７は慣性により下方へ回動し、木刀本体３にぶつかり、パーンとカスタネットのように大きな音をたてる。そして、分割部分７はそのままマグネット２７により木刀本体３に吸着する。  
【選択図】図１【図１】
0004076577.tif 000002
【図２】
0004076577.tif 000003
【図３】
0004076577.tif 000004
【図４】
0004076577.tif 000005